(57)【要約】      （修正有）【課題】装飾性を向上可能な門松を提供する。【解決手段】門松１０は、筒形状の胴部を有する竹部材１７と、竹部材１７に設けられた照明装置１４と、胴部に設けられ、かつ、照明装置１４の光を、胴部を通過させて竹部材１７の外部へ射出させる光通過部２８と、を有し、光通過部２８は、胴部における光通過部２８とは異なる箇所３０の光透過率より高い光透過率である。【選択図】図２
0003232189.tif 000002
【実用新案登録請求の範囲】
【請求項１】
筒形状の胴部を有する竹部材と、
前記竹部材に設けられて光を照射する照明装置と、
前記胴部に設けられ、かつ、前記照明装置の光を、前記胴部を通過させて前記竹部材の外部へ射出させる光通過部と、
を有し、
前記光通過部は、前記胴部における前記光通過部とは異なる箇所の光透過率より高い光透過率である構造を有する、門松。
【請求項２】
請求項１記載の門松において、
前記光通過部は、前記胴部を貫通する複数の孔を有し、
前記光通過部は、前記複数の孔の組み合わせによって構成された絵を前記胴部の外面に表示する、門松。
【請求項３】
請求項１または２記載の門松において、
前記胴部の中心線を含む前記竹部材の断面視で、
前記照明装置の光の照射範囲の最大角度は、前記胴部の中心線に対して９０度未満である、門松。
【考案の詳細な説明】
【技術分野】
【０００１】
本考案は、照明装置を有する門松に関する。
【背景技術】
【０００２】
照明装置を有する門松の一例が、特許文献１に記載されている。特許文献１に記載された門松は、筒体（竹部材）と、筒体の下端面を超えて突出されてベースに差し込まれる差し込み片と、筒体の内部に設けられたライト（照明装置）と、を有する。ライトはバッテリーから供給される電力によって点灯する。ライトを点灯することで、夜間や暗所における門松の装飾性が向上する。
【先行技術文献】
【特許文献】
【０００３】
【特許文献１】特開２０１６−１９５７１９号公報
【考案の概要】
【考案が解決しようとする課題】
【０００４】
本願考案者は、特許文献１に記載されている照明装置の光は、竹部材の上端の開口部から竹部材の外部を照らすため、門松の装飾性の点で改善の余地がある、という課題を認識した。
【０００５】
本考案の目的は、装飾性を向上可能な門松を提供することである。
【課題を解決するための手段】
【０００６】
一実施形態の門松は、筒形状の胴部を有する竹部材と、前記竹部材に設けられて光を照射する照明装置と、前記胴部に設けられ、かつ、前記照明装置の光を、前記胴部を通過させて前記竹部材の外部へ射出させる光通過部と、を有し、前記光通過部は、前記胴部における前記光通過部とは異なる箇所の光透過率より高い光透過率である構造を有する。
【考案の効果】
【０００７】
一実施形態の門松によれば、照明装置の光が胴部を通過して竹部材の外部へ射出されるため、装飾性が向上する。
【図面の簡単な説明】
【０００８】
【図１】本実施形態における門松の全体斜視図である。
【図２】門松の部分的な正面図である。
【図３】（Ａ）は、胴部の中心線を含む竹部材の側面断面図、（Ｂ）は、（Ａ）のII−II線における平面断面図である。
【考案を実施するための形態】
【０００９】
以下、門松の一実施形態を図面に基づいて詳細に説明する。なお、門松の実施形態を説明するための各図において、同一装置、同一要素、同一箇所には原則として同一の符号を付し、その繰り返しの説明は省略する。
【００１０】
図１及び図２に示す門松１０は、竹部材１７、飾り部１２、菰部１３及び照明装置１４を有し、図１では、門松１０が支持部１５で支持された状態が示されている。支持部１５は、門松１０の設置場所に置かれる土台であり、支持部１５は、例えば、円盤状の板、円盤状の鉄等で構成されている。門松１０は、支持部１５によって支持され、かつ、支持部１５上で動かないように固定されている。
【００１１】
菰部１３は、複数本の竹部材１６を有し、複数本の竹部材１６は、長さが異なり、かつ、上端が斜めに切断されている。複数本の竹部材１６は、支持部１５上にそれぞれが略垂直に立てられている。門松１０を真上から見ると、複数本の竹部材１６が略環状に並べられている。飾り部１２は、主として菰部１３の内側及び菰部１３の上に設けられている。飾り部１２は、松、梅、南天、杉、葉牡丹等の自然植物（天然植物）、または、人工植物を有する。門松１０を真上から平面視すると、飾り部１２の一部は、菰部１３の外側に張り出している。
【００１２】
竹部材１７は、複数本、例えば、３本設けられている。竹部材１７は、自然竹（天然竹）、または、人工竹（模造竹、模擬竹）の何れでもよい。自然竹は、例えば、真竹、孟宗竹、淡竹等のうちの何れでもよい。人工竹は、合成樹脂製、金属製等の何れでもよい。竹の外面（表面）の色は、例えば緑色である。竹部材１７は、筒形状、例えば円筒形状であり、図３（Ａ）のように、竹部材１７の胴部１８の中心を通る中心線Ａ１が、略垂直になるように、支持部１５に設けられている。竹部材１７の下端は、支持部１５によって直接または間接に支持されている。竹部材１７は、胴部１８の上端面が中心線Ａ１に対して垂直に切断された「寸胴型」、または、胴部１８の上端面が中心線Ａ１に対して非垂直（斜め）に切断された「そぎ型」の何れでもよい。
【００１３】
３本の竹部材１７の上端は、中心線Ａ１に沿った方向の位置、つまり高さがそれぞれ異なる。３竹の竹部材１７の節は、竹部材１７の内部Ｂ１で全て除去されている。門松１０を真上から見た平面視で、３本の竹部材１７は、全て環状の菰部１３の内側に配置されている。図１のように、３本の竹部材１７の胴部１８は、菰部１３の上に位置し、かつ、門松１０を周囲から見て胴部１８の一部が飾り部１２から露出している。このため、門松１０の周囲に居る人間は、竹部材１７の胴部１８の外面１９を目視可能である。
【００１４】
照明装置１４は、竹部材１７の内部Ｂ１、具体的には、胴部１８の内部Ｂ１に設けられている。照明装置１４は、光源を有する発光器である。照明装置１４は、例えば、図３（Ａ）のように、光源として２個のＬＥＤ（Light Emitting Diode）２０Ａ，２０Ｂと、２個のＬＥＤ２０Ａ，２０Ｂを支持するプレート２１と、を有する。図３（Ｂ）では、ＬＥＤ２０Ａが、中心線Ａ１を中心として設ける例が示されている。
【００１５】
プレート２１は、支柱２２から中心線Ａ１に対して交差する向きに突出されており、支柱２２は中心線Ａ１に沿った方向の長さを有する棒材である。支柱２２の材質は、木材、金属、合成樹脂の何れでもよい。支柱２２は、内部Ｂ１に略垂直に立てられた状態で、竹部材１７に対して固定要素、例えば、ねじによって固定されている。照明装置１４は、１本の竹部材１７の胴部１８の内部Ｂ１に間隔をおいて複数設けられている。複数の照明装置１４は、中心線Ａ１に沿った方向に等間隔で設けられている。なお、図２及び図３（Ａ）では、便宜上、１つの照明装置１４のみを示してある。
【００１６】
２個のＬＥＤ２０Ａ，２０Ｂの一部を覆うカバー２３が、それぞれ設けられている。カバー２３は、例えば、遮光性の合成樹脂である。１個のカバー２３は、ＬＥＤ２０Ａに対して中心線Ａ１に沿った方向に移動可能である。他のカバー２３は、ＬＥＤ２０Ｂに対して中心線Ａ１に沿った方向に移動可能である。２個のＬＥＤ２０Ａ，２０Ｂの電圧は、１２Ｖまたは１００Ｖの何れでもよく、２個のＬＥＤ２０Ａ，２０Ｂの発光色は、例えば、電球色である。１個のＬＥＤ２０Ａは、プレート２１の上部に取り付けられ、１個のＬＥＤ２０Ｂはプレート２１の下部に取り付けられている。
【００１７】
カバー２３が設けられていることにより、ＬＥＤ２０Ａの光は、プレート２１よりも上に向けて光が照射され、ＬＥＤ２０Ｂの光は、プレート２１よりも下に向けて光が照射される。カバー２３をそれぞれ中心線Ａ１に沿った方向に移動させることにより、ＬＥＤ２０Ａ，２０Ｂが光を照射する向き、光の照射範囲Ｃ１，Ｃ２、及び最大角度θ１，θ２を調整可能である。図３（Ａ）のように、胴部１８の中心線Ａ１を含む竹部材１７の側面断面視で、ＬＥＤ２０Ａによる光の照射範囲（照射角度）Ｃ１の最も外側を示す線分と、中心線Ａ１との間の最大角度θ１は、９０度未満に設定されている。また、ＬＥＤ２０Ｂによる光の照射範囲Ｃ２の最も外側を示す線分と、中心線Ａ１との間の最大角度θ２は、９０度未満に設定されている。
【００１８】
さらに、電線２４が、竹部材１７の胴部１８の内部Ｂ１から外部Ｂ２に亘って設けられており、電線２４は、２個のＬＥＤ２０Ａ，２０Ｂにそれぞれ接続されている。電線２４の端部にプラグ２５が設けられている。また、竹部材１７の外部Ｂ２に電源２６、例えば、交流電源が設けられており、プラグ２５を電源２６に接続すると、電源２６の電力を２個のＬＥＤ２０Ａ，２０Ｂに供給することが可能である。
【００１９】
３本の竹部材１７の胴部１８には、それぞれ光通過部２８が設けられている。光通過部２８の光透過率（光透過割合）は、胴部１８における光通過部２８とは異なる箇所３０より光透過率（光透過割合）が高い。光通過部２８は、ＬＥＤ２０Ａ，２０Ｂから照射された光の一部を胴部１８の外部Ｂ２へ導く通路（経路）である。光通過部２８は、一例として、胴部１８を半径方向に貫通する孔２９によって構成されている。胴部１８の外面１９を平らに展開すると、孔２９の内周形状は円形である。光通過部２８は、胴部１８の内部Ｂ１と外部Ｂ２とをつないでいる。
【００２０】
図２、図３（Ａ），（Ｂ）に示すように、孔２９は、１本の竹部材１７の胴部１８にそれぞれ複数設けられている。図３（Ａ）のように、孔２９は、中心線Ａ１に沿った方向に間隔をおいて複数設けられている。また、図３（Ｂ）のように、孔２９は、中心線Ａ１を中心とする胴部１８の円周方向に間隔をおいて複数設けられている。胴部１８の円周方向において、複数の孔２９が設けられている範囲は、例えば、図１のように門松１０を正面から見た場合に、胴部１８の外面１９が１本毎に見える範囲内である。図３（Ｂ）のように竹部材１７の１本を平面断面視すると、中心線Ａ１を中心とする前方で１８０度の範囲Ｅ１内である。
【００２１】
孔２９は、その中心線Ｄ１の延長上に中心線Ａ１が位置するように、胴部１８を貫通していてもよいし、中心線Ｄ１が中心線Ａ１と交差しないように、胴部１８を貫通していてもよい。また、複数の孔２９の中心線Ｄ１は、互いに平行であってもよいし、平行でなくてもよい。光通過部２８は、複数の孔２９の組み合わせにより構成された絵３１を、胴部１８の外面１９に表示している。絵３１は、模様、図柄等を含む。模様は、和模様、例えば、青海波、市松文様、七宝つなぎ等の何れでもよい。
【００２２】
本実施形態の門松１０によれば、プラグ２５を電源２６に接続すると、電源２６の電力が各ＬＥＤ２０Ａ，２０Ｂに供給され、各ＬＥＤ２０Ａ，２０Ｂが点灯する。ＬＥＤ２０Ａ，２０Ｂから照射された光の一部は、胴部１８の内面で反射され、かつ、孔２９を通って、つまり、光通過部２８を通って外部Ｂ２へ照射される。このため、門松１０の周囲に居る人間からは、胴部１８の外面１９が光って見えるため、門松１０の装飾性が向上する。また、光通過部２８によって絵３１が表現されるため、絵３１が胴部１８の外面１９から浮き上がって見え、門松１０の装飾性が更に向上する。
【００２３】
また、ＬＥＤ２０Ａ，２０Ｂの色が、胴部１８の外面１９の色とは異なると、門松１０の装飾性が更に向上する。さらに、ＬＥＤ２０Ａ，２０Ｂの光は、プレート２１に対して上方または下方へ向けて照射される。このため、光の一部が胴部１８の内面で反射して光通過部２８を通過する。つまり、光が直接に光通過部２８を通過することを防止でき、門松１０を目視する人間の防眩性が向上する。なお、菰部１３を構成する竹部材１６が、光通過部２８及び箇所３０を備え、竹部材１６の内部に照明装置１４が設けられていてもよい。竹部材１６の材質、竹部材１６の光通過部２８の構成は、竹部材１７の材質、竹部材１７の光通過部２８の構成と同じである。
【００２４】
本実施形態に係る門松は、実施形態で図面を用いて説明した門松に限定されない。例えば、照明装置の光源は、ＬＥＤに限定されず、白熱電球、蛍光灯、アーク灯、ＨＩＤランプ（High-Intensity Discharge Lamp）等でもよい。照明装置１つあたりの光源の数は、１個でもよいし、３個以上でもよい。さらに、光源としてＬＥＤを設ける場合、胴部の内面に、胴部の中心線に沿った方向に複数個を直接取り付けてもよい。また、光源の光の色は、青、赤等でもよい。照明装置は、竹の内部に設けることに限定されず、竹の胴部に埋め込まれていてもよい。
【００２５】
また、照明装置と電源とを接続する電気回路に、光源を点灯及び消灯させるスイッチを設けることも可能である。さらに、電気回路に、光源を所定時間おきに点滅させるスイッチ、またはタイマーを設けることも可能である。なお、電気回路にスイッチを設ける場合、スイッチは竹部材の外部に設けるか、または、竹部材の胴部の外面に設けることが可能である。さらに、スイッチは、無線によって作動を制御可能な構成でもよい。
【００２６】
さらに、光通過部の一例である孔は、光透過性のフィルム、フィルタ、合成樹脂、ガラス等の被覆材で覆われているか、または、孔が被覆材で埋められていてもよい。さらに、被覆材の色を変更すれば、光源の色を変更せずに済む。
【００２７】
さらに、光通過部は、竹部材に孔を設けずに構成してもよい。例えば、竹部材における光通過部の材質と、竹部材における光通過部とは異なる箇所の材質とを異ならせることにより、光通過部の光透過率（光透過割合）を、異なる箇所より光透過率（光透過割合）を高くすることも可能である。さらに、竹部材における光通過部の厚さを、光通過部とは異なる箇所の厚さよりも小さくすることにより、光通過部の光透過率（光透過割合）を、異なる箇所より光透過率（光透過割合）を高くすることも可能である。この場合、光通過部の材質と、光通過部とは異なる箇所の材質とは、同じでもよいし異なっていてもよい。つまり、光通過部は、光通過部とは異なる箇所の光透過率より高い光透過率である構造は、胴部の孔の設定、胴部の厚さの設定、胴部の材質の選択を含む。
【００２８】
さらに、電源が交流電源（商用電源）であり、光源の電圧が１２Ｖである場合、電源と光源との間に変圧器を設け、変圧器によって降圧して光源に電圧を印加する。電源は、交流電源に代えて直流電源であってもよい。さらに、直流電源は、竹の外部または竹の内部の何れに設けられていてもよい。直流電源は、一次電池、二次電池を含む。菰部は、環状に巻いた藁と、藁の周囲を縛った縄とを有していてもよい。さらに、菰部は、バケツ形状、または壺形状の容器と、容器の周囲に巻いた縄とを有していてもよい。
【００２９】
本実施形態で説明した事項の技術的意味の一例は、次の通りである。門松１０は、門松の一例である。竹部材１６，１７は、竹部材の一例である。照明装置１４は、照明装置の一例である。胴部１８は、胴部の一例である。外部Ｂ２は、外部の一例である。光通過部２８は、光通過部の一例である。孔２９は、孔の一例である。外面１９は、外面の一例である。箇所３０は、光通過部とは異なる箇所の一例である。
【符号の説明】
【００３０】
１０…門松、１４…照明装置、１６，１７…竹部材、１８…胴部、１９…外面、２８…光通過部、２９…孔、３０…箇所、３１…絵、Ｃ１，Ｃ２…照射範囲、θ１，θ２…最大角度
【図１】
0003232189.tif 000003
【図２】
0003232189.tif 000004
【図３】
0003232189.tif 000005